(57)【要約】      （修正有）【課題】排水を阻害することなく光の侵入を防止できるベースカップ付容器を提案する。【解決手段】  容器本体（１）の底部にベースカップ（２）を装着して該ベースカップ（２）及び容器本体（１）を遮光性を有する被覆体（３）にて被覆したベースカップ付き容器において、前記ベースカップ（２）の底壁に、被覆体（３）の内壁に向けて斜め下向きに伸延する遮蔽板（７）を通して流下する水分を流出させる貫通孔（６）を形成し、前記被覆体（３）については、前記リブ（５）によって区画され、前記貫通孔（６）より流出させた水分をベースカップ（２）の外側へ排出する出口（８）を形成する被覆端（３ａ）を有するものとする。【選択図】図１
2006103698.tif 000002
【特許請求の範囲】
【請求項１】
容器本体の底部にベースカップを装着して該ベースカップ及び容器本体を遮光性を有する被覆体にて被覆したベースカップ付き容器であって、
前記ベースカップは、容器本体の底部中央部に向けて隆起する凸部を有しその端縁を最も低くしたドーム型の底壁と、この底壁を取り囲み容器本体の底部に適合する上向き開口を備えた周壁からなり、
前記ベースカップの底部に、最下端をベースカップの接地部位とする脚体を設け、
前記ベースカップの周壁に、該周壁の周りに間隔を置いて配置される複数の縦リブを設け、
前記縦リブの相互間に存在する周壁部分の少なくとも一箇所に、底壁の上面に沿って流下する水分を該底壁の端縁に沿い斜め下向きに伸延する遮蔽板を通して流出させる貫通孔を形成してなり、
前記被覆体は、前記リブによって区画され、前記遮蔽板の下部において貫通孔につながる出口を形成する被覆端を有する、ことを特徴とするベースカップ付き容器。
【請求項２】
容器本体の底部にベースカップを装着して該ベースカップ及び容器本体を遮光性を有する被覆体にて被覆したベースカップ付き容器であって、
前記ベースカップは、容器本体の底部中央部に向けて隆起する凸部を有しその端縁を最も低くしたドーム型の底壁と、この底壁を取り囲み容器本体の底部に適合する上向き開口を備えた周壁と、この周壁の最下端と底部をつなぎ該底壁の周りに間隔を置いて配置される複数の脚体からなり、
前記脚体の相互間に位置する周壁の少なくとも一箇所に切欠部を設け、この切欠部の内側上部に、底壁の上面に沿って流下する水分を該底壁の端縁に沿い斜め下向きに伸延する遮蔽板を通して該切欠部より流出させる貫通孔を設け、
前記被覆体は、前記切欠部において水分排出用の出口を形成する被覆端を有する、ことを特徴とするベースカップ付き容器。
【請求項３】
前記被覆体が、フィルム又はラベルである、請求項１又は２記載のベースカップ付き容器。
【発明の詳細な説明】
【技術分野】
【０００１】
本発明は、ペットボトル等のような合成樹脂製容器に適用して好適なベースカップ付き容器に関するものであり、とくに、該ベースカップに設けられた水抜き開孔を通して侵入する光を確実に防止しようとするものである。
【背景技術】
【０００２】
ペットボトルに代表される合成樹脂製の容器は、軽量で取り扱いが容易であり、また、透明性が確保できガラス製の容器に比較して遜色のない外観を呈すること等から近年、食品や飲料、化粧料あるいは薬剤などを充填する容器として多用されている。
【０００３】
例えば、炭酸飲料を充填するのに適した容器は、内圧上昇に伴う容器の変形や破損を防止する観点から、容器の底部を半球形状に成形し、容器の自立性を確保するために、その底部にはベースカップが装着されている。
【０００４】
上記のベースカップは、容器の底部に嵌合する開口を有する周壁と、この周壁につながりその裏面を接地面とする底壁からなっており、スチームや熱湯を使用した容器の加熱殺菌過程等で、容器の底部とベースカップの間に入り込んだ水分が簡単にベースカップの外へと流れ出るようにその底壁には複数の水抜き用の貫通孔が設けられた構造になっている（例えば特許文献１参照）。
【特許文献１】実開平５─２２３３６号公報
【発明の開示】
【発明が解決しようとする課題】
【０００５】
従来、この種の容器において、光（太陽光や蛍光灯等）の透過によって風味が落ちる等、品質に影響を与えるような内容物を充填しているものにあっては、容器の胴体部分やベースカップに遮光用のフィルム等を装着することによって対処するのが普通であるが、上記のようなベースカップは黴の発生を防止する観点から水抜き用の貫通孔を閉塞させることはないので、容器の保管状態によっては該貫通孔から光が侵入し、内容物の品質に悪影響を与えるおそれがあった。
【０００６】
本発明の課題は、水抜き用の貫通孔を閉塞させることなしに光の侵入を防止できる新規なベースカップ付容器を提案するところにある。
【課題を解決するための手段】
【０００７】
本発明は、容器本体の底部にベースカップを装着して該ベースカップ及び容器本体を遮光性を有する被覆体にて被覆したベースカップ付き容器であって、
前記ベースカップは、容器本体の底部中央部に向けて隆起する凸部を有しその端縁を最も低くしたドーム型の底壁と、この底壁を取り囲み容器本体の底部に適合する上向き開口を備えた周壁からなり、
前記ベースカップの底部に、最下端をベースカップの接地部位とする脚体を設け、
前記ベースカップの周壁に、該周壁の周りに間隔を置いて配置される複数の縦リブを設け、
前記縦リブの相互間に存在する周壁部分の少なくとも一箇所に、底壁の上面に沿って流下する水分を該底壁の端縁に沿い斜め下向きに伸延する遮蔽板を通して流出させる貫通孔を形成してなり、
前記被覆体は、前記リブによって区画され、前記遮蔽板の下部において貫通孔につながる出口を形成する被覆端を有する、ことを特徴とするベースカップ付き容器である。
【０００８】
また、本発明は、容器本体の底部にベースカップを装着して該ベースカップ及び容器本体を遮光性を有する被覆体にて被覆したベースカップ付き容器であって、
前記ベースカップは、容器本体の底部中央部に向けて隆起する凸部を有しその端縁を最も低くしたドーム型の底壁と、この底壁を取り囲み容器本体の底部に適合する上向き開口を備えた周壁と、この周壁の最下端と底部をつなぎ該底壁の周りに間隔を置いて配置される複数の脚体からなり、
前記脚体の相互間に位置する周壁の少なくとも一箇所に切欠部を設け、この切欠部の内側上部に、底壁の上面に沿って流下する水分を該底壁の端縁に沿い斜め下向きに伸延する遮蔽板を通して該切欠部より流出させる貫通孔を設け、
前記被覆体は、前記切欠部において水分排出用の出口を形成する被覆端を有する、ことを特徴とするベースカップ付き容器である。
【０００９】
上記の構成になるベースカップ付き容器において前記被覆体は、フィルム又はラベルを適用することができる。
【発明の効果】
【００１０】
ベースカップ内の水分は底壁につながる遮蔽板を通して貫通孔から流出し、被覆体の被覆端とリブによって区画形成された出口を経て外部へ排出される一方、該出口から太陽や蛍光灯等の光が入ってもその光は出口の上部に位置する遮蔽板によって遮られる。
【発明を実施するための最良の形態】
【００１１】
以下、図面を参照して本発明をより具体的に説明する。
図１は本発明にしたがうベースカップ（合成樹脂製）を装着した合成樹脂製容器の全体を示した図であり、図２(ａ)〜(ｃ)はベースカップの平面、側面及び底面を示した図である。
【００１２】
図における１は内容物を充填する容器本体、２は容器本体１の底部において装着され該容器本体１を自立させるベースカップである。
【００１３】
このベースカップ２は容器本体１の底部中央に向けて隆起する凸部ｔを有しその縁部ｔ１を最も低くしたドーム型の底壁２ａと、この底壁２ａを取り囲み容器本体１の底部に適合する上向きの開口ｔ２を備えた周壁２ｂからなる。
【００１４】
また、３はベースカップ２及び容器本体を被覆する遮光性を有する被覆体、４はベースカップ２の底壁に設けられ、その最下端を接地部位とする脚体、５は周壁２ｂの下方側に設けられたリブである。このリブ５はベースカップ２の周壁２ｂと脚体４を相互につなぐように間隔をあけて複数枚配置することができるもので、周壁２ｂとの連設は不可欠であるが、脚体４には連設されていてもよいし、連設されていなくともよい。
【００１５】
６はリブ５の相互間に存在する周壁部分に設けられた貫通孔（横向きの孔）、７は底壁２ａの端縁に沿い被覆体の裏面に向けて斜め下向きに伸延する遮蔽板であり、ベースカップ２の底壁２ａに沿って流下する水分はこの遮蔽板７を通って貫通孔６から流出する。
【００１６】
さらに、８は遮蔽板７の下部において被覆体３の被覆端３ａと脚体４及びリブ５によって区画形成された出口であり、貫通孔６から流出した水分はこの出口８から外部へと排出される。
【００１７】
上記の構成になる容器は、ベースカップ２に設けられたリブ５と被覆体３によってその相互間で内部空間を形成し、この内部空間で上記構成になる貫通孔６、遮蔽板７を設けるようにしたものであり、このような構成になるべースカップ２は排水が良好で、光の侵入を確実に遮断できる。
【００１８】
図３（ａ）（ｂ）は本発明にしたがうベースカップ付き容器の他の実施の形態であり、図４（ａ）〜（ｃ）に図３（ａ）のＣ─Ｃ断面、Ｄ─Ｄ断面及びＥ─Ｅ断面を示す。
【００１９】
このベースカップ付き容器は、脚体４の相互間に位置する周壁２ｂの下端に切欠部Ｃを対向する向きにおいて２つ設け、この切欠部Ｃの内側上部に、遮蔽板７とこれにつながる貫通孔６を形成した構造のものである。
【００２０】
かかる構成のベースカップ付き容器は貫通孔６から流出した水分が切欠部Ｃを通して外部へ排出されるため、排水性を阻害することなく光の侵入を確実に遮断することができる。
【００２１】
被覆体３は遮光性を有する樹脂にて成形されたフィルムやラベルが好適に使用される。
【００２２】
底壁２ａはドーム型の断面形状を有するものとして示したが、貫通孔６から流出した水分を出口８へ向けて流下させることができあればその形状は適宜変更することが可能である。また、貫通孔６の形状や個数、脚体４の形状についても上記実施の形態で示したものに限定されず、適宜変更することが可能である。
【００２３】
ベースカップ２は容器本体１の底部でアンダーカット嵌合させて固定保持してもよいし、被覆体３そのもので固定保持することもでき、この点については限定されない。
【産業上の利用可能性】
【００２４】
水分の排出を阻害することなしに光の侵入を回避できるベースカップ付きの容器が安定供給できる。
【図面の簡単な説明】
【００２５】
【図１】本発明にしたがうベースカップ付き容器の全体を示した図である。
【図２】（ａ）〜（ｃ）はベースカップの平面、側面及び底面をそれぞれ示した図である。
【図３】（ａ）（ｂ）は本発明にしたがうベースカップ付き容器の他の実施の形態を、ベースカップの平面及び底面について示した図である。
【図４】（ａ）〜（ｃ）は図３のＣ─Ｃ断面、Ｄ─Ｄ断面及びＥ─Ｅ断面をそれぞれ示した図である。
【符号の説明】
【００２６】
１  容器本体
２  ベースカップ
２ａ  底壁
２ｂ  周壁
３  被覆体
４  脚体
５  リブ
６  貫通孔
７  遮蔽板
８  出口
ｔ  凸部
ｔ１  端縁
ｔ２  開口
Ｃ  切欠部
【図１】
2006103698.tif 000003
【図２】
2006103698.tif 000004
【図３】
2006103698.tif 000005
【図４】
2006103698.tif 000006